(57)【特許請求の範囲】
【請求項１】
建物開口部に取付けられる樹脂製の枠体、もしくは、窓枠に開閉自在に設けられる樹脂製の障子を備え、
樹脂製の枠体もしくは障子を構成する樹脂製の框体は中空部を備え、中空部は隔壁により分割される複数の区画を備えており、
少なくとも隣接する２つの区画内に金属製の２つの補強部材が長手方向全長にわたってそれぞれ配置され、補強部材は、それぞれ隔壁に対向する対向面を有し、一方の補強部材の対向面に熱により膨張する耐火材が設けてあり、
２つの補強部材は、耐火材および隔壁を挟んで配置されるとともに、連結手段により連結されている、
ことを特徴とする樹脂サッシ。
【発明の詳細な説明】
【技術分野】
【０００１】
本発明は、樹脂製の窓枠もしくは障子を備える樹脂サッシに関する。
【背景技術】
【０００２】
近年、枠体及び障子の框を樹脂により中空に形成してなる樹脂サッシが周知となっているが、樹脂サッシにおいても、防火性能を高めることは必須の事項となっている。
そして、樹脂サッシにおいて、樹脂製の枠体や框の中空内部に補強部材や熱膨張耐火材を配置するなどして、火災時に樹脂製の枠体や框が溶融した場合であっても、枠体と框との間から火炎が浸入することを防止する樹脂サッシが知られている（特許文献１）。
【先行技術文献】
【特許文献】
【０００３】
【特許文献１】特許第５２９００３４号
【発明の概要】
【発明が解決しようとする課題】
【０００４】
断熱性を向上させるための樹脂サッシでは、窓枠や障子に中空部を形成して断熱性を向上させることが行われるが、中空部を複数の区画に分割して断熱性のさらなる向上、及び、強度の確保が行われることが常套手段となっている。
しかしながら、樹脂框の中空部を複数の区画に分割すると、中空部の内部に配置する補強部材も分割されてしまい、火災時に中空部を区画する壁体が溶融した場合には、補強部材間に隙間が生じて、火炎の浸入を防止することが難しかった。
補強部材を分割しないで配置しようとすると、中空部内への配置は難しく、結局、樹脂框や樹脂枠の表面に補強部材が露出してしまい、意匠的に好ましくなく、腐食や結露の原因になっていた。
【０００５】
本発明は、上記の事情を鑑み、樹脂枠や樹脂框の中空部を複数の区画に分割し、複数に区画された中空部内に補強部材を配置した場合に、火災時に樹脂枠や樹脂框が溶融しても、補強部材間に隙間が生じることがなく、火炎の浸入を防止できる樹脂サッシを提供することを目的とする。
【課題を解決するための手段】
【０００６】
本発明は、建物開口部に取付けられる樹脂製の枠体、もしくは、窓枠に開閉自在に設けられる樹脂製の障子を備え、樹脂製の枠体もしくは障子を構成する樹脂製の框体は中空部を備え、中空部は隔壁により分割される複数の区画を備えており、少なくとも隣接する２つの区画内に金属製の２つの補強部材が長手方向全長にわたってそれぞれ配置され、補強部材は、それぞれ隔壁に対向する対向面を有し、一方の補強部材の対向面に熱により膨張する耐火材が設けてあり、２つの補強部材は、耐火材および隔壁を挟んで配置されるとともに、連結手段により連結されていることを特徴とする。
【発明の効果】
【０００７】
火災時に、樹脂枠や樹脂框が溶融しても、補強部材間の溶融した樹脂部分を膨張した耐火材が塞ぐので、補強部材間から火炎の浸入を防止することができ、樹脂框や樹脂枠の延焼を遅延させることができる。
【図面の簡単な説明】
【０００８】
【図１】本発明の実施形態に係るすべり出し樹脂サッシの内観図である。
【図２】本発明の実施形態に係る樹脂サッシの縦断面図である。
【図３】本発明の実施形態に係る樹脂サッシの横断面図である。
【図４】本発明の実施形態に係る樹脂サッシの左側の縦枠の拡大横断面図である。
【図５】本発明の実施形態に係る樹脂サッシの左側の縦框の拡大横断面図である。
【図６】本発明の実施形態に係る樹脂サッシの左側の縦枠と縦框の拡大横断面図である。
【図７】本発明の実施形態に係る樹脂サッシの樹脂枠の立上り壁の構造を説明する図であり、左側の縦枠の拡大横断面図である。
【図８】本発明の実施形態に係る樹脂サッシの左側の縦框の拡大横断面図である。
【発明を実施するための形態】
【０００９】
本発明の実施形態の樹脂サッシについて、図面を参考に説明する。
（全体の構成）
図１に示すように、本発明の実施形態の樹脂サッシは、建物開口部に設置され、上枠１１、下枠１２及び左、右縦枠１３，１４を四周に組んでなる枠体１と、上框２１、下框２２、及び左、右縦框２３，２４を四周に組んでその内周にガラス等のパネル体２５が嵌め込まれてなる障子２とからなる。
そして、枠体１の左、右縦枠１３，１４と障子２の左、右縦框２３，２４と間に配置されたアーム部材３，３により、枠体１に対して障子２がすべり出し開閉自在に支持されたすべり出し窓として構成されている。
下框２２の室内側には、障子２の開閉時に操作者が握ることができ、また、障子２を閉鎖状態にロック操作するためのハンドル９３が配置されている。
以下に、本発明の実施形態の樹脂サッシを構成する各部材について、図面を参考に詳細に説明する。
【００１０】
（窓枠の構成）
枠体１を構成する上枠１１、下枠１２及び左、右縦枠１３，１４は、合成樹脂により形成されており、図２、３に示すように、各枠の断面形状はほぼ同一に形成されている。
各枠の構成について、図４を参照しながら、左縦枠を用いて説明する。
【００１１】
左縦枠１３は、中空の矩形形状をなす枠本体部１３１と、枠本体部１３１の室外側に連続する室外側中空部１３２と、枠本体部１３１の室内側に連続する中空の立上り壁１３３とから構成されている。
左縦枠１３の外周面の見込み方向中間付近には、外周方向に向けて取付片部１３１ａが延設されており、建物開口部の躯体に対して、金属製の釘ヒレアングル材５１を挟んでネジ等の固定手段ｎにより固定されている。
また、左縦枠１３の外周面の室内側からは室内方向に向けて室内側取付片部１３１ｂが延設されており、ネジ等の固定手段ｎにより建物開口部の内周面に固定されている。
【００１２】
枠本体部１３１の中空内部には、外周片５３ａ、内周片５３ｂ及び見付け片５３ｃとにより略Ｕ字形状をなす金属製の主補強部材５３が長さ方向全長に渡って挿入されており、その外周片５３ａが左縦枠１３の枠本体部１３１の外周壁を挟んで釘ヒレアングル材５１に対してビス等の連結手段ｂにより固定され、内周片５３ｂがビス等の連結手段ｂにより、枠本体部１３１の内周面部に固定されている。
【００１３】
枠本体部１３１の室内側に連続する立上り壁１３３は、枠本体部１３１よりも内周方向に突出しており、突出した部分の室外側面には、障子２の室内側面が当接するシール材ｓが配置されて、立上り壁１３３が戸当たりとして構成されている。
立上り壁１３３の中空内部の左右方向中間位置付近（枠本体部１３１の内周面付近）には、中間壁１３３ｂが形成されており、立上り壁１３３内部が外周側中空部１３３ａと内周側中空部１３３ｃに分割され、立上り壁１３３の強度を向上させている。
【００１４】
分割された外周側中空部１３３ａ及び内周側中空部１３３ｃには金属製の外周側補強部材５４及び内周側補強部材５５が長さ方向全長に渡って挿入されている。
外周側補強部材５４，内周側補強部材５５は、見付け面部５４ａ，５５ａ、及び、少なくとも一つの見込み面部５４ｂ，５５ｂを有しており、見込み面部５４ｂ，５５ｂ同士が中間壁１３３ｂを挟んで対向するように配置されている。
【００１５】
外周側補強部材５４の見込み面部５４ｂには、長ビスｂが挿入される孔が設けられており、見込み面部５４ｂの内周側面には、熱により膨張する耐火材（熱膨張耐火材ｆ）が配置されている。また、内周側補強部材５５の見込み面部５５ｂには、長ビスｂが螺合されるネジ孔が設けられており、左縦枠１３の立上り壁１３３の外周側面から挿入される長ビスｂにより、外周側補強部材５４及び内周側補強部材５５が中間壁１３３ｂ及び熱膨張耐火材ｆを挟んで連結され、立上り壁１３３と外周側補強部材５４及び内周側補強部材５５が一体的に構成されている。
【００１６】
以上、左縦枠１３の構成を説明したが、上，下枠１１，１２及び右縦枠１４についても同様の構造を備えている。そして、各枠に挿入された主補強部材５３はその端部において隣接する他の主補強部材５３と図示しない金属製のアングル材等により連結され、枠体の四周に亘って金属製の部材により補強されている。
【００１７】
（障子の構成）
障子２を構成する上框２１、下框２２及び左、右縦框２３，２４は、合成樹脂により形成され、図２、３に示すように、各框の断面形状はほぼ同一に形成されている。
各框の構成について、図５を参照しながら、左縦框２３を用いて説明する。
【００１８】
左縦框２３は、中空の矩形形状をなす框本体部２３１と、框本体部２３１の室外側に連続し、外周側に突出する立上り部を備える室外側壁部２３２と、框本体部２３１の室内側に連続し、ガラス間口の室内側を構成する室内側壁部２３３と、室外側壁部２３２の内周に係合されてガラス間口の室外側を構成する押縁部材２３４とから構成されており、框本体部２３１の外周面には、外周に向けて開口する溝状のレール部２３１ａが設けられている。
【００１９】
左縦框２３の外周面には、金属製の框カバー部材６１が配置されている。框カバー部材６１は見付け面部６１ａ及び見込み面部６１ｂを備え、見付け面部６１ａにより、室外側壁部２３２の立上り部の室内側面を覆うとともに、見込み面部６１ｂにより框本体部２３１の外周面を覆いながら、レール部２３１ａにおいて框本体部２３１及び後述する主框補強部材６２にビス等の連結手段ｂにより連結されている。
【００２０】
左縦框２３を構成する框本体部２３１と、室外側壁部２３２と、室内側壁部２３３の中空部内には、それぞれ金属製の主框補強部材６２，室外側框補強部材６３，室内側框補強部材６４が長さ方向全長に渡って挿入されている。
框本体部２３１の中空部内に挿入される主框補強部材６２は、少なくとも外周片６２ａ、内周片６２ｂ及び見付け片６２ｃを有し、その外周片６２ａは、左縦框２３の框本体部２３１及び框カバー部材６１の見込み面部６１ｂに対してビス等の連結手段ｂにより連結固定されているとともに、その内周片６２ｂには、熱膨張耐火材ｆが配置されている。
【００２１】
室外側壁部２３２は、その中空部内の左右方向中間位置付近（框本体部２３１の外周面位置付近）に、中間壁２３２ｂが設けられており、框本体部２３１の室外側に位置し、その内周側に押縁部材２３４を係合する係合部を有する室内側框中空部２３２ａと、框本体部２３１よりも外周側に突出して立上り部を構成し、室内側面にシール材ｓが取り付けられる外周側框中空部２３２ｃとが形成されている。
【００２２】
室外側壁部２３２に挿入される室外側框補強部材６３は、外周側框中空部２３２ｃの中空部内に挿入されており、図６に示すように、室外側框補強部材６３の外周端は、障子２の閉鎖状態において、左縦枠１３の主補強部材５３の内周端よりも外周側に位置し、且つ、内周端は、框カバー部材６１の外周端よりも内周側に位置することにより、左縦枠１３の主補強部材５３と框カバー部材６１との間の室外側を塞ぐように配置されている。
【００２３】
そして、室外側框補強部材６３の見付け面部が框カバー部材６１の見付け面部６１ａに対してビス等の連結手段ｂにより連結されることにより、主框補強部材６２と室外側框補強部材６３と框カバー部材６１との一体化をはかっている。
室外側框補強部材６３の室外側には、熱膨張耐火材ｆが配置されており、室外側の火災に対して速やかに膨張して、室外側框補強部材６３の室外側(火災が発生した側）に断熱層を形成して、枠と框の溶融を遅らせて、火炎等の浸入を遅延させることができる。
【００２４】
室内側壁部２３３の中空部内に挿入される室内側框補強部材６４は、左縦框２３の間口から框本体部２３１にかけて、その室内側を覆う見付け面部６４ａを備えており、見付け面部６４ａの内周端及び外周端からそれぞれ室内側に見込み面部６４ｂ，６４ｃが形成されている。
そして、内周側の見込み面部６４ｂの外周側面、及び、外周側の見込み面部６４ｃの外周側面には熱膨張耐火材ｆが配置されており、室内側壁部２３３の中空部内において外周側の見込み面部６４ｃを室内側壁部２３３の外周面に対して熱膨張耐火材ｆを挟んでビス等の連結手段ｂにより連結固定している。
【００２５】
左縦框２３の内周には、室内側壁部２３３及び押縁部材２３４により間口が形成されており、間口には、ガラス等のパネル体２５の外周面及び室内側面を覆う断面Ｌ字状のガラス受け６５、及び、ガラス受け６５に対して係合され、ガラス等パネルの外周面及び室外側面を覆う断面Ｌ字状のガラス押さえ６６が配置されている。
【００２６】
ガラス受け６５の外周面は、框本体部２３１の中空部内に挿入された主框補強部材６２の内周片６２ｂに対してビス等の連結手段ｂにより連結されるとともに、ガラス受け６５の室内側面は室内側壁部２３３の中空部内に配置された室内側框補強部材６４の見付け面部６４ａに対してビス等の連結手段ｂにより連結されている。
【００２７】
従って、左縦框２３を構成する各中空部内に配置される主框補強部材６２，室外側框補強部材６３，室内側框補強部材６４、及び框カバー部材６１，ガラス受け６５，ガラス押さえ６６等の金属製の部材がビス等の連結手段ｂにより一体的に連結されることとなり、火災時に樹脂製の框が溶融しても、金属製の部材が分解してパネル体２５が脱落することを防止できる。
なお、図示はしていないが、室内側框補強部材６４の外周側の見込み面部６４ｃと主框補強部材６２とを金属製の連結部材等により連結することもでき、火災時に主框補強部材６２と室内側框補強部材６４とが分離して広がることを防止できる。
【００２８】
また、ガラス受け６５とガラス押さえ６６との重合部分の間には、熱膨張耐火材ｆが配置されるとともに、ガラス受け６５の室外側面、及び、ガラス押さえ６６の室内側面には、パネル体２５に対向するように熱膨張耐火材ｆが配置され、火災時に、熱膨張耐火材ｆが膨張してガラス間口に充満し、ガラス受け６５及びガラス押さえ６６とガラス等パネル体２５との間から火炎や煙等が浸入することを防止している。
【００２９】
以上、左縦框２３の構成を説明したが、上、下框２１，２２及び右縦框２４についても同様の構造を備えており、各框に挿入された主框補強部材６２はその端部において隣接する他の主框補強部材６２と図示しない金属製のアングル材等により連結されることにより、障子の四周に亘って金属製の部材により補強されている。
【００３０】
（枠体と障子との連結構造）
次に、枠体１に対する障子２の取付けについて説明する。
図１，３，６に示すように、障子２の左、右縦框２３，２４が枠体１の左右縦枠１３，１４に対して、左右のアーム部材３，３により支持されている。アーム部材３，３の一端は、左、右縦枠１３，１４の内周面に連結され、他端は、障子２の左、右縦框２３，２４の外周面に連結され、リンク機構を形成することにより、障子２が枠体１に対してすべり出し開放自在に支持されている。
【００３１】
また、図２に示すように、上枠１１の内周面には、枠側反り防止金具８１が固着されるとともに、上框２１の外周面には、框側反り防止金具８２が固着されており、火災時に熱により障子２が沿って枠体１と障子２との間に隙間が開くことを防止している。
【００３２】
一方、下框２２の外周のレール部２３１ａにはロックピン９１が摺動自在に配置されるとともに、下枠１２の内周面には、ロックピン９１が係止するロックピン受け９２が固着されており、下框２２の室内面に配置されたハンドル９３のロック操作によって、ロックピン９１がロックピン受け９２に係止して障子２の閉鎖状態をロックすることができる。
【００３３】
（枠体中空部の分割構造）
本発明の実施形態において、枠本体部１３１の室内側に連続する立上り壁１３３に採用されている中空部の分割構造について、図４，７を示しながら、さらに詳しく説明する。
図４，７に示されるように、枠本体部１３１の室内側に連続する立上り壁１３３は見付け方向に幅広に構成されており、また、合成樹脂により形成されていることから、十分な剛性を保つことができず、例えば室内側面から外力が加わると変形する可能性がある。窓枠等が変形すると高級感が損なわれ、商品価値が低下するばかりでなく、窓枠が破損する可能性があった。
【００３４】
そこで、立上り壁１３３の中空部内の左右方向中間位置付近（枠本体部１３１の内周面付近）に中間壁１３３ｂを形成することにより、立上り壁１３３の室内側からの外力に対する剛性を向上させており、また、中空部を分割することにより、断熱性での向上をはかっている。
【００３５】
しかし、立上り壁１３３の中空部内に中間壁１３３ｂが形成されること、即ち、隔壁が形成されることにより、中空部が外周側中空部１３３ａと内周側中空部１１３ｃに分割されて、本来、立上り壁１３３の中空部全体に配置することができた補強部材を配置することができない。そのため、隔壁である中間壁１３３ｂにより分割された区画（外周側中空部１３３ａと内周側中空部１１３ｃ）にそれぞれ金属製の外周側補強部材５４及び内周側補強部材５５を挿入して配置している。
【００３６】
そして、それぞれ金属製の外周側補強部材５４及び内周側補強部材５５を隔壁である中間壁１３３ｂを挟んで長ビス等の連結手段ｂにより連結することにより、火災時に立上り壁１３３の強度を向上させるとともに、火炎や煙等の浸入を防止している。
【００３７】
ここで、本実施形態における２つの区画（外周側中空部１３３ａと内周側中空部１１３ｃ）に配置される金属製の補強部材である、外周側補強部材５４、内周側補強部材５５は、それぞれ見付け面部５４ａ，５５ａ、及び、見込み面部５４ｂ，５５ｂを有しており、見込み面部５４ｂ，５５ｂ同士を中間壁１３３ｂを挟んで対向するようにして配置されている。
【００３８】
外周側補強部材５４の見込み面部５４ｂには、長ビスｂが自由に挿入される挿通孔ｈ１が設けられており、見込み面部５４ｂの内周側面には、熱膨張耐火材ｆが配置されている。一方、内周側補強部材５５の見込み面部５５ｂには、長ビスｂが螺合されるネジ孔ｈ２が設けられており、左縦枠１３の立上り壁１３３の外周側面から挿入される長ビスｂにより、外周側補強部材５４及び内周側補強部材５５が中間壁１３３ｂ及び熱膨張耐火材ｆを挟んで連結され、立上り壁１３３と外周側補強部材５４及び内周側補強部材５５が一体的に構成されている。
【００３９】
従って、火災時に立上り壁１３３が溶融しても、外周側補強部材５４と内周側補強部材５５とは、連結状態を保ち、且つ、外周側補強部材５４と内周側補強部材５５との間に生じる隙間を熱膨張耐火材ｆで塞ぐことができるので、火炎や煙等の浸入を防止することができる。
なお、外周側補強部材５４と内周側補強部材５５との連結構造は、特に上記連結構造に限定されるものではなく、外周側補強部材５４の見込み面部５４ｂにも長ビスｂが螺号されるネジ孔を設けるなど、外周側補強部材５４及び内周側補強部材５５を中間壁１３３ｂ及び熱膨張耐火材ｆを挟んで連結することができれば、どのような連結構造を採用しても良い。
また、外周側補強部材５４、内周側補強部材５５、中間壁１３３ｂ、熱膨張耐火材ｆは、接触していても、離間していてもよく、熱膨張耐火材ｆは、何れかの補強部材に取付けられていても、中間壁に取り付けられていてもよい。
【００４０】
図８に、本発明の実施形態に採用されている補強材間に耐火材を配置する構成を框の中空部に採用した例を示す。
図８の左縦框７３は、中空の略矩形形状をなす框本体部７３１と、框本体部７３１の室外側外周面から外周方向に延設される室外側壁部７３２と、框本体部７３１の室内側に連続し、ガラス間口の室内側を構成する室内側壁部７３３と、框本体部７３１の室外側内周面に係合されてガラス間口の室外側を構成する押縁部材７３４とから構成されており、框本体部７３１の外周面には、外周に向けて開口する溝状のレール部７３１ａが設けられている。
【００４１】
左縦框７３の外周面には、金属製の框カバー部材６１が配置されている。框カバー部材６１は見付け面部６１ａ及び見込み面部６１ｂを備え、見付け面部６１ａにより、室外側壁部７３２の立上り部の室内側面を覆うとともに、見込み面部６１ｂにより框本体部７３１の外周面を覆いながら、レール部７３１ａにおいて框本体部７３１及び後述する主框補強部材６２にビス等の連結手段ｂにより連結されている。
【００４２】
左縦框７３を構成する框本体部７３１と、室外側壁部７３２と、室内側壁部７３３の中空部内には、それぞれ金属製の主框補強部材６２，室外側框補強部材６３，室内側框補強部材６４が長さ方向全長に渡って挿入されている。
框本体部７３１の中空部内に挿入される主框補強部材６２は、外周片６２ｂ、内周片６２ａ及び見付け片６２ｃを有し、内周片６２ａの室外側端部より逆Ｌ字状の室外片６２ｄが連設されている。
そして、外周片６２ｂが、左縦框２３の框本体部２３１及び框カバー部材６１の見込み面部６１ｂに対してビス等の連結手段ｂにより連結固定されており、その内周片６２ａの外周側面、及び、室外片６２ｄの下端の外周側面には、熱膨張耐火材ｆが配置されている。
【００４３】
室外側壁部７３２には、見付け面部及び見込み面部６３ｂを有する室外側框補強部材６３が挿入されており、室外側框補強部材６３の見込み面部６３ｂが框本体部７３１内に挿入された主框補強部材６２の室外片６２ｄの外周側面に対して樹脂框及び熱膨張耐火材ｆを挟んで対向するように配置されている。
そして、室外側框補強部材６３の見付け面部が框カバー部材６１の見付け面部６１ａに対してビス等の連結手段ｂにより連結されることにより、主框補強部材６２と室外側框補強部材６３とは、樹脂框及び熱膨張耐火材ｆを挟んだ状態で框カバー部材６１及びビス等の連結手段ｂによって一体化されている。
【００４４】
また、室外側框補強部材６３の室外側には、熱膨張耐火材ｆが配置されている。
したがって、室外側の火災によって主框補強部材６２と室外側框補強部材６３との間に存在する樹脂框が溶融しても、両補強部材は框カバー部材６１及びビス等の連結手段によって連結されているので、分離することはなく、両補強部材の間に挟まれる熱膨張耐火材ｆが膨張して補強部材同士の間に隙間を生じることを防止できる。また、室外側框補強部材６３の室外側に配置した熱膨張耐火材ｆが速やかに膨張して断熱層を形成して、枠と框の溶融を遅らせることができる。
【００４５】
以上のように、本発明の実施形態の樹脂サッシにおいては、枠の立上り壁の中空部を隔壁により複数の区画に分割して強度や断熱性能を向上させながら、隔壁により分割されたそれぞれの区画内には金属製の補強部材が配置して、両補強部材を長ビス等の連結手段により隔壁を挟んで連結されている。
そして、火災時には、合成樹脂により形成された立上り壁が溶融しても、立上り壁の中空部内に配置され、連結された２つの金属製の補強部材により室内外方向の連通を防ぐことができ、枠と障子との間から火炎等の浸入を防止することができる。
【００４６】
さらに、分割された区画内に配置された金属製の補強部材同士の連結面には熱膨張耐火材が配置されているので、補強部材間の隔壁が溶融しても、熱膨張耐火材が隔壁の溶融により生じる補強部材間の隙間を塞ぐことができ、補強部材が分割して配置された場合にも、十分に枠と障子との間から火炎等が浸入することを防止することができる。
【００４７】
なお、本発明が採用される中空部内における補強部材と耐火材とによる構造は、枠体の立上り壁に限るものではなく、例えば図８に示すような框であってもよく、合成樹脂により形成されるいずれの中空部位に採用してもよい。
また、前述の実施形態は、すべり出し窓であるが、本発明は、特に、すべり出し窓に限られるものではなく、開閉する各種の窓用の樹脂サッシに対して採用することができる。
【符号の説明】
【００４８】
１              ：枠体
１１          ：上枠
１２          ：下枠
１３          ：左縦枠
１３１      ：枠本体部
１３１ａ  ：取付片部
１３１ｂ  ：室内側取付片部
１３２      ：室外側中空部
１３３      ：立上り壁
１３３ａ  ：外周側中空部
１３３ｂ  ：中間壁
１３３ｃ  ：内周側中空部
１４          ：右縦枠
２              ：障子
２１          ：上框
２２          ：下框
２３          ：左縦框
２３１      ：框本体部
２３１ａ  ：レール部
２３２      ：室外側壁部
２３２ａ  ：室内側框中空部
２３２ｂ  ：中間壁
２３２ｃ  ：外周側框中空部
２３３      ：室内側壁部
２３４      ：押縁部材
２４          ：右縦框
２５          ：パネル体
３              ：アーム部材
５１          ：釘ヒレアングル材
５３          ：主補強部材
５３ａ        ：外周片
５３ｂ        ：内周片
５３ｃ        ：見付け片
５４          ：外周側補強部材
５５          ：内周側補強部材
６１          ：框カバー部材
６２          ：主框補強部材
６３          ：室外側框補強部材
６４          ：室内側框補強部材
６５          ：ガラス受け
６６          ：ガラス押さえ
【図１】
0006407051.tif 000002
【図２】
0006407051.tif 000003
【図３】
0006407051.tif 000004
【図４】
0006407051.tif 000005
【図５】
0006407051.tif 000006
【図６】
0006407051.tif 000007
【図７】
0006407051.tif 000008
【図８】
0006407051.tif 000009